(57)【要約】【課題】穂先部に無理な撓りが生じても破損しにくい釣竿を提供することである。【解決手段】釣竿１の竿杆２には釣り糸が挿通されるガイドＧが竿杆２の長手方向に複数取り付けられ、そのうち竿杆２の穂先部２ａにはトップガイド５が取り付けられている。竿杆２の穂先部２ａには、その外側に巻回して設けた糸状体６と共にトップガイド５のキャップ部５ｃが被せられて取り付けられ、糸状体６はキャップ部５ｃより竿杆２の元部２ｂに延長して設けられている。穂先部２ａにキャップ部５ｃを被せた部分はさらにその外側から第２糸状体７が巻回されており、キャップ部５ｃの穂先部２ａからの抜けが防止されている。【選択図】    図２
2011097836.tif 000002
【特許請求の範囲】
【請求項１】
釣竿装着用のキャップ部を有するトップガイドを穂先部に取り付けた釣竿において、
前記穂先部の外側に糸状体を巻回し、前記トップガイドの前記キャップ部を前記糸状体を介して穂先部に被せて取り付けると共に、前記糸状体は前記穂先部の前記トップガイドのキャップ部を被せた部分よりも元部側に延長して巻回されていることを特徴とする釣竿。
【請求項２】
糸状体は内側に空気を内包していることを特徴とする請求項１に記載の釣竿。
【請求項３】
少なくとも穂先部は中実状に形成したことを特徴とする請求項１または２に記載の釣竿。
【請求項４】
キャップ部の外側から穂先部のキャップ部を被せた部分よりも元部側に延長して第２糸状体を巻回したことを特徴とする請求項１乃至３の何れか１項に記載の釣竿。
【発明の詳細な説明】
【技術分野】
【０００１】
本発明は、釣竿に関し、詳細には、釣糸ガイドを取り付けた釣竿に関する。
【背景技術】
【０００２】
従来から釣り糸を挿通する複数の釣糸ガイドが設けられた釣竿が使用され、これらの釣糸ガイドは釣竿に沿って適当間隔をおいて配置され、釣糸ガイドによって釣糸が絡まないように案内されるようになっている。
釣糸ガイドのうち釣竿の穂先部の先端に設けられたトップガイドは、釣竿先端から放出され、または回収される釣り糸が挿通され案内されるようになっている。
このトップガイドは釣竿に装着するために一端が開口した筒状のキャップ部を有し、このキャップ部を釣竿の穂先部に被せて接着剤で取り付けられている。
ところが、トップガイドのキャップ部を釣竿の穂先部に被せて接着剤で取り付けた釣竿は、トップガイドをぶつけたり、仕掛けの巻き込みなどで穂先部に無理な撓りが生じると竿杆のキャップを被せた部分の元部側にて破損しやすいため釣竿の取り扱いでは釣り人が気を使うところであった。
【特許文献１】特開２０００−２７０７２１
【発明の概要】
【発明が解決しようとする課題】
【０００３】
解決しようとする問題点は、トップガイドのキャップを釣竿の穂先部に被せて接着剤で取り付けた釣竿は、仕掛けの巻き込みなどで穂先部に無理な撓りが生じると竿杆のキャップ部を被せた部分の元部側にて破損しやすいことである。
【０００４】
本発明の目的は前記欠点に鑑み、穂先部に無理な撓りが生じても破損しにくい釣竿を提供することである。
【課題を解決するための手段】
【０００５】
本発明の請求項１は、釣竿装着用のキャップ部を有するトップガイドを穂先部に取り付けた釣竿において、前記穂先部の外側に糸状体を巻回し、前記トップガイドの前記キャップ部を前記糸状体を介して穂先部に被せて取り付けると共に、前記糸状体は前記穂先部の前記トップガイドのキャップ部を被せた部分よりも元部側に延長して巻回されていることを要旨とするものである。
本発明の請求項２は、糸状体は内側に空気を内包していることを要旨とするものである。
本発明の請求項３は、少なくとも穂先部は中実状に形成したことを要旨とするものである。
本発明の請求項４は、キャップ部の外側から穂先部のキャップ部を被せた部分よりも元部側に延長して第２糸状体を巻回したことを要旨とするものである。
【発明の効果】
【０００６】
本発明の請求項１によると、穂先部の外側に糸状体が巻回されていることでトップガイドを通じて伝わる衝撃が緩和され、この糸状体は穂先部のトップガイドのキャップ部を被せた部分よりも元部側に延長して巻回されているため、穂先部のキャップ部を被せた部分の元部側における応力集中による破損が防止される。
本発明の請求項２によると、糸状体は内側に空気を内包していることで糸状体による緩衝効果が高まりより穂先部の破損が防止される。
本発明の請求項３によると、穂先部を中実状に形成することで穂先部の潰れが防止され破損しにくくなる。
本発明の請求項４によると、トップガイドの穂先部からの脱落をより防止できる。
【産業上の利用可能性】
【０００７】
本発明は、トップガイドを取り付けた釣竿に利用できる。
【図面の簡単な説明】
【０００８】
【図１】図１は、本願の釣竿の全体図である。
【図２】図２は、第１実施例でトップガイドを取り付けた穂先部の縦方向拡大断面図である。
【図３】図３は、第２実施例でトップガイドを取り付けた穂先部の縦方向拡大断面図である。
【発明を実施するための最良の形態】
【０００９】
本願発明を図示の実施例によって説明すると、図１から図２は本願の第１実施例で、図１は釣竿の全体図、図２はトップガイドを取り付けた穂先部の縦方向拡大断面図である。
【００１０】
図１のように、釣竿１は、竿杆２の元部２ｂ側にリール装着部３が取り付けられ、リール装着部３の後端側にグリップ４が設けられている。
また、竿杆２には釣り糸が挿通されるガイドＧが竿杆２の長手方向に適当な間隔を開けて複数取り付けられ、そのうち竿杆２の穂先部２ａにはトップガイド５が取り付けられている。
【００１１】
釣竿１を形成する竿杆は、合成樹脂や金属等で形成され、図２のように本願実施例では、竿杆２は、ガラス繊維や炭素繊維等の繊維強化樹脂で中実状に形成されている。
竿杆２を形成する繊維強化樹脂の強化繊維Ｓは竿杆２の軸長方向に配されている。
竿杆２は、穂先２ａ側が細径で元部２ｂ側になるにしたがって徐々に太径になり、剛性が大きくなるように形成されている。
竿杆２は、１本の竿杆で形成しているが、複数の竿杆を連結して形成しても良い。
また、竿杆２は、強化繊維を有しない合成樹脂の他、金属で形成しても良く、また中実状の他、中空状に形成しても良く、さらに、穂先から元部まで同一径で形成しても良い。
【００１２】
竿杆２の先端部側に当たる穂先部２ａにはトップガイド５が取り付けられている。
トップガイド５は、金属等で形成されたフレーム５ａに金属やセラミック等で形成された硬質のガイドリング５ｂが支持され、ガイドリング５ｂは釣り糸を挿通するガイド孔５ｆが形成されている。
フレーム５ａのガイドリング５ｂを支持した部位の反対の竿杆２側には釣竿１に装着するためのキャップ部５ｃが形成され、このキャップ部５ｃは竿杆２の長手方向に延びる筒状体で内部に挿通孔５ｄを有し、その一端側に挿通孔５ｄの開口５ｅが形成されている。
キャップ部５ｃは、その開口５ｅから挿通孔５ｄ内に竿杆２の穂先部２ａがその先端から挿通され接着剤で固定されて取り付けられている。
【００１３】
竿杆２の穂先部２ａの外側には糸状体６が巻回されている。
糸状体６は穂先部２ａの先端から僅かに竿杆２が露出した部分を残して元部２ｂ側に向けて適当長さ巻回されて取り付けられている。
糸状体６は、図２の拡大部分のように、木綿等の天然材料やナイロン、ポリエチレン等の合成樹脂で形成された複数の繊維６ａからなる繊維束で、竿杆２の穂先部２ａにて竿杆２の長手方向に連続して巻回して適宜長さに亘って糸状体６の巻回領域を設けることでキャップ部５ｃを固定するときのベースとなる。
穂先部２ａに巻回した糸状体６は巻回する間隔を詰めることで順次互いに巻回した糸状体が隣接するようになっており、それぞれの糸状体６は１周巻回する毎に竿杆２の外側に突出する凸状になり、それぞれの糸状体６の間は凹部となって、糸状体６の巻回領域は竿杆２の長手方向に連続した凹凸状の表面が形成される。
なお、糸状体６は縒りが加えられていたり、繊維同士がランダムに絡んだものや組み紐状に編み込まれたものを用いても良い。
【００１４】
竿杆２の穂先部２ａには、外側に巻回して設けた糸状体６と共にその上からトップガイド５のキャップ部５ｃが被せられて取り付けられ、すなわち、トップガイド５はキャップ部５ｃにて糸状体を介して穂先部に取り付けられている。
キャップ部５ｃの挿通孔５ｄ内にて穂先部２ａはその先端が挿通孔５ｄの最奧部に当接し、挿通孔５ｄの内側面には穂先部２ａ外側に巻回して設けた糸状体６が当接し、キャップ部５ｃを保持している。
竿杆２の穂先部２ａとキャップ部５ｃの挿通孔５ｄの間やそれぞれの糸状体６の間の凹部にはアクリルやエポキシ等の合成樹脂の接着剤８が充填されキャップ部５ｃが穂先部２ａに固定されている。
【００１５】
接着剤８は、複数の繊維６ａからなる糸状体６のそれぞれの繊維６ａ間に含浸されて硬化しているが、その繊維６ａ間は全て充填された接着剤８で満たされているのではなく、その一部は空間６ｂが形成されており、この空間６ｂは繊維６ａ間に散在している。
このため図２の拡大部分のように、糸状体６（周囲を楕円で囲った部分）は繊維６ａ間に空間６ｂを有することによって空気を内包しているため接着剤８のみが硬化した部分よりも軟らかく大きな可撓性を有している。
竿杆２の穂先部２ａにキャップ部５ｃを被せることで穂先部２ａ外側に巻回して設けた糸状体６は、キャップ部５ｃの挿通孔５ｄ内側でその弾性に抗して潰され竿杆２の穂先部２ａ側に押圧された状態となり、糸状体６におけるキャップ部５ｃで覆われた部分は竿杆２の元部２ｂ側に延長して巻回された部分よりも竿杆２からの高さが低くなっている。
【００１６】
穂先部２ａにキャップ部５ｃを被せた部分はさらにその外側から第２糸状体７が巻回されており、キャップ部５ｃの穂先部２ａからの抜けが防止されている。
第２糸状体７は、竿杆２に巻回した糸状体６に対応してキャップ部５ｃの外側に巻回され、穂先部２ａ側（竿杆２の先端側）からキャップ部５ｃの開口５ｅ対応位置（キャップ部５ｃ後端）を通り、開口５ｅよりも竿杆２の元部２ｂ側に延長して巻回された糸状体６の上に重ねて巻回し、さらに竿杆２に巻回された糸状体６よりも竿杆２の元部２ｂ側にさらに延長して巻回されている。
第２糸状体７の糸状体６よりも竿杆２の元部２ｂ側に延長して巻回した部分は、竿杆２の外側面に直接巻回されている。
【００１７】
糸状体６と第２糸状体７はキャップ部５ｃのそれぞれ挿通孔５ｄの内側とキャップ部５ｃの外側に位置し、両者でキャップ部５ｃを挟むように保持する。
第２糸状体７を巻回したキャップ部５ｃから竿杆２の外側部分は第２糸状体７の接着剤を兼ねたポリウレタンやエポキシ等の合成樹脂のコーティング層９で被覆される。
【００１８】
第２糸状体７も糸状体６と同様に木綿等の天然材料やナイロン等の合成樹脂で形成された複数の繊維７ａからなる繊維束が使用され、コーティング層９を構成する合成樹脂が含浸されて硬化している。
コーティング層９は、第２糸状体７の繊維７ａ間にも含浸されて硬化していると共に、その繊維７ａ間は全て充填されずにその一部は空間７ｂが形成されて繊維７ａ間に散在している
コーティング層９を構成する合成樹脂は、糸状体６のそれぞれの繊維６ａ間に含浸されて硬化した接着剤８より軟らかい合成樹脂材料が使用される。
【００１９】
このように形成した釣竿１の穂先部２ａは、魚が掛かった場合などトップガイド５に挿通された釣り糸が引かれて撓ることとなる。
この時トップガイド５のキャップ部５ｃの後端部分の開口５ｅ位置にて竿杆２の撓りが規制されて負荷が集中しやすいが、糸状体６は穂先部２ａのトップガイド５のキャップ部５ｃを被せた部分よりも元部側に延長して設けられているため竿杆２が撓ってもキャップ部５ｃの後端部分（開口５ｅ）がこの延長された糸状体６に当たって竿杆２に当接することはなくキャップ部５ｃによって直接竿杆２が傷付くことが防止される。
また、糸状体６が竿杆２を補強し、しかも緩衝部材となって竿杆２のキャップ部５ｃの後端部分（開口５ｅ部分）の対応位置における負荷の集中を緩和する。
【００２０】
しかも、糸状体６は、合成樹脂の接着剤８が含浸されたことによる弾発性によって潰れに抗し、内部に空間６ｂを有することによって空気を内包し柔軟性をもって外側からの押圧に変形して対抗するため、このことによっても竿杆２のキャップ部５ｃの後端部分（開口５ｅ）の対応位置における負荷の集中を緩和することとなる。
この糸状体６の変形は負荷が無くなれば元の状態に復元するようになっている。
なお、糸状体６は、少なくともキャップ部５ｃの後端部分の開口５ｅの前後（穂先部２ａ側から元部２ｂ側）に亘って設けられていれば良い。
【００２１】
また、竿杆２は中実状に形成されているため中空状に形成した場合に比べて潰れ強度が大きくなり釣竿１の撓りに対して容易に破損しなくなる。
【００２２】
さらに、穂先部２ａにキャップ部５ｃを被せた部分はさらにその外側から第２糸状体７が巻回されており、キャップ部５ｃの穂先部２ａからの抜けが防止される。
しかも、キャップ部５ｃは糸状体６と第２糸状体７によって狭持されているためキャップ部５ｃが強固に保持される。
第２糸状体７は、開口５ｅよりも竿杆２の元部２ｂ側に延長して巻回された糸状体６の上に重ねて巻回しているため糸状体６を保護し、さらに竿杆２に巻回された糸状体６よりも竿杆２の元部２ｂ側に延長して巻回されているため糸状体６の元部２ｂ側の竿杆２に対する剥離やほつれを防止するとともに、糸状体６の上に重ねて、竿杆２の元部２ｂ側になるにしたがって糸状体６と第２糸状体７の２重に糸状体が巻回された部分から第２糸状体７のみが巻回された状態になって、徐々にこれら糸状体による補強部が少なくなるように形成されているためこのことによってもより竿杆２の穂先部２ａにおける応力集中が緩和されるようになって無理な撓りが生じても穂先部２ａが破損しにくくなる。
【００２３】
このように形成された釣竿１の竿杆２の穂先部２ａにトップガイド５を取り付けるにあたって、竿杆２の穂先部２ａに糸状体６を巻回し、この糸状体６を巻回した穂先部２ａに接着剤を塗布し、一方、トップガイド５のキャップ部５ｃの挿通孔５ｄ内に接着剤を入れて、接着剤が硬化前の流動性を有する状態で挿通孔５ｄ内に穂先部２ａの先端を差し込んで互いを接着する。
キャップ部５ｃが巻回した糸状体６の外周側をしごきながら差し込まれるためキャップ部５ｃが差し込まれた部分は糸状体６が潰され接着剤の余分は挿通孔５ｄの開口５ｅから流出する。
従って、接着剤８が絞られながら流出した後に糸状体６の外周側をキャップ部５ｃが覆ってしまうため糸状体６の６ａ間には空間６ｂが残り、接着剤８が硬化すると空気が内包される。
この空間６ｂは独立していても連続した（非独立の）空間でも良く、内包された空気は糸状体６の中に閉じこめられていなくても存在するだけでよい。
この時、開口５ｅから流出した接着剤は除去する。
【００２４】
さらに、穂先部２ａにキャップ部５ｃを被せた部分はさらにその外側から第２糸状体７が巻回されて糸状体６の上を通り糸状体６が巻回された部分よりも竿杆２の元部２ｂ側に達するように巻回される。
さらに、第２糸状体７が巻回された部分の外側にコーティング層９を合成樹脂材料を塗布することによって形成する。
コーティング層９によって第２糸状体７の外側に第２糸状体７よりも大きな厚みの保護層が形成され、巻回した第２糸状体７の糸ズレやキズ付きが防止され、糸状体６と共にキャップ部５ｃの抜けが防止され、穂先部の破損が防止される。
【００２５】
図３は、第２実施例で、図１にて示した釣竿にトップガイドを取り付けた穂先部の縦方向拡大断面図である。
【００２６】
この実施例では、中空状の単繊維からなるナイロン等の合成樹脂で形成された糸状体６０が使用されている。
第２実施例の釣竿１は、図３のように第１実施例の繊維束からなる糸状体６にかえて、糸状体の断面中央部に長手方向に延びる中空部６０ａが形成された管状の糸状体６０が巻回されている。
糸状体６０は中空部６０ａによって内部に空気が内包されている。
なお、中空部６０ａは中央部に沿って延びる１つの中空部を設けたが複数の中空部を設けても良い。
キャップ部５ｃの外側に巻回された第２糸状体７０は、中空部を有しない単繊維で形成されている。
このように形成された場合でも、糸状体６０は中空部６０ａによって変形し、釣竿１が撓ったときのキャップ部５ｃの後端部（開口５ｅ側）の竿杆２への接触と負荷を緩和して破損を防止することができる。
【００２７】
このように、第２実施例においても第１実施例と同様の作用効果が得られる。
なお、その他の構成は第１実施例と同じである。
【００２８】
なお、第１実施例、第２実施例ともに竿杆２は中実状でも中空状でもよく、また、穂先部だけ中実状にしても良い。
また、キャップ部５ｃの外側に巻回された第２糸状体は、それぞれ第２糸状体７、第２糸状体７０のどちらを用いることもできる。
【符号の説明】
【００２９】
１    釣竿
２    竿杆
２ａ  穂先部
２ｂ  元部
５    トップガイド
５ｃ  キャップ部
６    糸状体
７    第２糸状体
【図１】
2011097836.tif 000003
【図２】
2011097836.tif 000004
【図３】
2011097836.tif 000005